(57)【要約】【課題】  特に装飾が施され、且つ化粧料を収容することができる化粧料容器を備えたブレスレットを提供する。【解決手段】  本考案の化粧料容器を備えたブレスレットは、第１半環部（１０）と、第２半環部（２０）と、化粧料容器（３０）とを有し、該第１半環部（１０）及び第２半環部（２０）は円弧状を呈すると共に、それらの一端にそれぞれ設けられる第１枢設部（１１）と第２枢設部（２１）とが枢設ピン（２４）により枢転可能に連結されることにより、位置決めユニット（２５）が構成され、更に前記第２半環部（２０）上には、前記化粧料容器（３０）を着脱可能に収容するための嵌合溝（２３）が形成されることを特徴とする。【選択図】  図１
0003110805.tif 000002
【実用新案登録請求の範囲】
【請求項１】
第１半環部（１０）と、第２半環部（２０）と、化粧料容器（３０）とを有し、該第１半環部（１０）及び第２半環部（２０）は円弧状を呈すると共に、それらの一端にそれぞれ設けられる第１枢設部（１１）と第２枢設部（２１）とが枢設ピン（２４）により枢転可能に連結されることにより、位置決めユニット（２５）が構成され、更に前記第２半環部（２０）上には、前記化粧料容器（３０）を着脱可能に収容するための嵌合溝（２３）が形成されることを特徴とする化粧料容器を備えたブレスレット。
【請求項２】
前記位置決めユニット（２５）の、第１半環部（１０）と第２半環部（２０）上にそれぞれ設けられる第１枢設部（１１）と第２枢設部（２１）の上部に、それぞれ掛合し合う掛合凸部（１２）及び掛合部材（２２）が設けられることを特徴とする請求項１に記載の化粧料容器を備えたブレスレット。
【請求項３】
前記ブレスレットは更に装飾蓋（４０）を有し、該装飾蓋（４０）は下半部の下蓋（４１）及び上半部の上蓋（４２）から成り、その内、該上蓋（４２）の内側面に少なくとも１本のガイドレール（４４）が設けられると共に、第１半環部（１０）上に該ガイドレール（４４）と対応するガイド溝（１４）が形成され、更に前記装飾蓋（４０）はガイドレール（４４）とガイド溝（１４）とが組合されるように、第１半環部（１０）の化粧料容器（３０）における容器ヘッド（３２）側の端部に移動可能に取付けられることを特徴とする請求項１又は２に記載の化粧料容器を備えたブレスレット。
【考案の詳細な説明】
【技術分野】
【０００１】
本考案は、特に装飾が施され、且つ化粧料を収容することができる化粧料容器を備えたブレスレットに関するものである。
【背景技術】
【０００２】
ブレスレットは通常、飾り用として手首に嵌めるものであり、一般的なブレスレットはリング状を呈し、外形や質感などに優れ、尚且つ装飾性を有するものである。また、近年ではブレスレット上に発光素子などを組合わせたものまで出てきている。
【考案の開示】
【考案が解決しようとする課題】
【０００３】
しかしながら、前記従来のブレスレットは、単に飾りとしての効果しかなく、他に優れた機能を有しない。
【課題を解決するための手段】
【０００４】
本考案は、第１半環部（１０）と、第２半環部（２０）と、化粧料容器（３０）とを有し、該第１半環部（１０）及び第２半環部（２０）は円弧状を呈すると共に、それらの一端にそれぞれ設けられる第１枢設部（１１）と第２枢設部（２１）とが枢設ピン（２４）により枢転可能に連結されることにより、位置決めユニット（２５）が構成され、更に前記第２半環部（２０）上には、前記化粧料容器（３０）を着脱可能に収容するための嵌合溝（２３）が形成されることを特徴とする化粧料容器を備えたブレスレット、を提供する。
【考案の効果】
【０００５】
本考案は、上記の課題を解決するものであり、第１半環部と、第２半環部と、化粧料容器とを有し、該第１半環部及び第２半環部は円弧状を呈すると共に、それらの一端にそれぞれ設けられる第１枢設部と第２枢設部とが枢設ピンにより枢転可能に連結され、該第１枢設部と第２枢設部の枢設部に位置決めユニットが設けられることにより、位置決めユニットが構成され、更に前記第２半環部上には、前記化粧料容器を収容するための嵌合溝が形成される。     
更に、前記位置決めユニットの、第１半環部と第２半環部上にそれぞれ設けられる第１枢設部と第２枢設部の上部に、それぞれ掛合し合う掛合凸部及び掛合部材が設けられる。尚、本考案の位置決めユニットとしては、前記第１半環部と第２半環部上に該掛合部材と掛合凸部と設けることにより掛合させても良く、或いは第１半環部と第２半環部の両端上にトーションばねを取付けることにより、両者を連結させても良い。また、本考案では、化粧料容器の容器ヘッドと隣接する半環部の端部に移動可能なカバー用の装飾蓋が設けられると共に、該装飾蓋上には装飾部材が設けられる。
【０００６】
上述したように、本考案の化粧料容器を備えたブレスレットは、腕に嵌めた時に、飾りとしてだけでなく、化粧料容器を収容できる構成とすることにより、その化粧料を何時でも使用することができるようになるので、利便性の高いブレスレットを提供することができる。
【考案を実施するための最良の形態】
【０００７】
以下、添付図面を参照して本考案の好適な実施の形態を詳細に説明する。
【０００８】
図１は本考案に係る化粧料容器を備えたブレスレットの好ましい実施例の分解斜視図であり、図２は本考案に係る化粧料容器を備えたブレスレットの斜視図であり、図３は本考案に係る化粧料容器を備えたブレスレットの正面断面図であり、図４は本考案に係る化粧料容器を備えたブレスレットの装飾蓋上に装飾部材を設置した場合の斜視図であり、図５は本考案に係る化粧料容器を備えたブレスレットの装飾蓋をスライドさせた状態を示す部分正面断面図であり、図６は本考案に係る化粧料容器を備えたブレスレットの装飾蓋をスライドさせ、化粧料を外部へ噴霧させた状態を示す部分正面断面図であり、図７は本考案に係る化粧料容器を備えたブレスレットの他の実施例の分解斜視図である。     
図１乃至図３の実施例に示すように、本考案の化粧料容器を備えたブレスレットは、第１半環部（１０）と、第２半環部（２０）と、化粧料容器（３０）とを有し、その内、該第１半環部（１０）は円弧状を呈すると共に、その一端に、上部に掛合凸部（１２）を有する第１枢設部（１１）が設けられる。     
前記第２半環部（２０）は、前記第１半環部（１０）と組合されることによりリング状となる半円弧状を呈し、その一端に枢設ピン（２４）により第１枢設部（１１）と枢転可能に連結される第２枢設部（２１）を有すると共に、該第２枢設部（２１）は、掛合凸部（１２）と掛合可能な掛合部材（２２）を有し、それら掛合凸部（１２）と掛合部材（２２）により位置決めユニット（２５）を構成する。更に第２半環部（２０）の内面には化粧料容器（３０）を収容するための嵌合溝（２３）が形成される。また、本実施例中においては嵌合溝（２３）の側壁上部に化粧料容器（３０）を固定するための掛止フック（２３１）が設けられる。     
前記化粧料容器（３０）は、容器本体（３１）及び容器ヘッド（３２）を有すると共に、着脱可能に第２半環部（２０）の嵌合溝（２３）内に嵌め込まれ、更に該容器本体（３１）の内部に収容空間（図示せず）が設けられると共に、一端に該収容空間と連通する開口部（３１１）が設けられる。また、前記容器本体（３１）における開口部（３１１）の端部は、第２半環部（２０）における、第２枢設部（２１）と反対する端から延出し、その開口部（３１１）の端部には着脱可能に且つ第１半環部（１０）の一端と当接するように容器ヘッド（３２）が螺設、掛合、嵌合などの方式により組合わされる。     
また、前記化粧料容器（３０）は、香水、エッセンスオイル、マニキュア、口紅などの容器として用いることができるが、図１及び図３の実施例中では、化粧料容器（３０）を香水用として使用し、使用する時は、香水を化粧料容器（３０）の容器本体（３１）内に入れて用いる。更に前記容器ヘッド（３２）は、押圧式の気圧噴霧器であり、その一端に噴霧口（３２１）が設けられると共に、他端には容器本体（３１）内に挿入するチューブ（３２２）が設けられる。これにより、前記容器ヘッド（３２）を押圧した時、容器本体（３１）内の香水が内部の空気の変化により、上部の噴霧口（３２１）から噴出する。また、前記化粧料容器（３０）は、口紅の容器としても用いることができるが、その場合は、口紅を取付けた容器ヘッド（３２）を容器本体（３１）の端部に嵌め込めばよく、或いは化粧料容器（３０）をマニキュアの容器として用いる場合は、マニキュアを容器本体（３１）内に入れると共に、容器ヘッドの一端に、容器本体（３１）内に挿入可能な、マニキュアを爪に塗るためのアプリケーターなどが取付けられる。     
更に本考案では、前記第２半環部（２０）における嵌合溝（２３）の内壁面に少なくとも１つの嵌合凹部（２３２）が形成されると共に、化粧料容器（３０）における容器本体（３１）の外壁面に、該嵌合凹部（２３２）と対応する嵌合凸部（３１２）が設けられことにより、化粧料容器（３０）を第２半環部（２０）の嵌合溝（２３）内に固定する。     
図１乃至図３に示すように、本考案のブレスレットは更に装飾蓋（４０）を有し、該装飾蓋（４０）は、第１半環部（１０）における、化粧料容器（３０）の容器ヘッド（３２）と隣接する端部（１３）に設置される。また、該装飾蓋（４０）は下蓋（４１）と、該下蓋（４１）の上半部の一端に位置し、内側に少なくとも１本のガイドレール（４４）を有する上蓋（４２）を有すると共に、前記第１半環部（１０）の端部（１３）上に、該ガイドレール（４４）と対応するガイド溝（１４）が形成され、これにより、ガイドレール（４４）がガイド溝（１４）に組合わされ、装飾蓋（４０）が第１半環部（１０）の端部（１３）上で摺動可能となり、装飾蓋（４０）の開閉が行えるようになる。尚、本考案においては、装飾蓋（４０）と第１半環部（１０）とを組み合わせる際、他の連結手段を用いてもよい。     
図４に示すように、本考案では、ブレスレット上の装飾蓋（４０）の外側面上、或いは／及び第１半環部（１０）や第２半環部（２０）上に、更に天然宝石や人工宝石、或いは／及びその他の装飾効果を有する装飾部材（４３）を設けることにより、装飾性をより向上させてもよい。     
また、本考案のブレスレットを使用する時は、例えば、図１及び図２に示すように、化粧料容器（３０）の容器本体（３１）内に香水を注入すると共に、押圧式スプレーである容器ヘッド（３２）を該容器本体（３１）の開口部（３１１）に取付け、その後、第１半環部（１０）と第２半環部（２０）を使用者の腕上で閉じて、第１半環部（１０）における第１枢設部（１１）の掛合凸部（１２）と、第２半環部（２０）における第２枢設部（２１）の掛合部材（２２）とを組合わせて固定する。そして、第１半環部（１０）の端部（１３）における装飾蓋（４０）を閉じて、化粧料容器（３０）の容器ヘッド（３２）の外側をカバーすれば、一般のブレスレットと同様に飾りとして用いることができる。     
更に、使用者が前記化粧料容器（３０）内の香水を使用する時は、図２、図５及び図６に示すように、容器ヘッド（３２）の外側の装飾蓋（４０）を他側へスライドさせて、容器ヘッド（３２）を露出させた後、第１半環部（１０）と第２半環部（２０）により容器ヘッド（３２）を圧迫して、容器本体（３１）内の香水を気圧の変化により容器ヘッド（３２）上の噴霧口（３２１）から噴出させる。また、不使用時は、単に装飾蓋（４０）を元の位置までスライドさせて容器ヘッド（３２）をカバーすればよい。     
また、図７に示すように、本考案の他の実施例であるブレスレットは、前記実施例と同様に、第１半環部（１０）、第２半環部（２０）、化粧料容器（３０）及び該第１半環部（１０）の端部（１３）上に設置される装飾蓋（４０）を有するが、それら第１半環部（１０）、第２半環部（２０）、化粧料容器（３０）及び装飾蓋（４０）の構造については、その殆どが前記図１乃至図６に示す実施例と同一であるので、該同一部分の説明を省略する。     
以下、構造の異なる部分について説明する。前記第２半環部（２０）における嵌合溝（２３）の一側或いは両側の外縁に前記化粧料容器（３０）を掛止し固定するための若干の掛止フック（２３１）が設けられると共に、第１半環部（１０）及び第２半環部（２０）には、前記実施例のような掛合部材（２２）や掛合凸部（１２）の代わりに、トーションばね（２６）が位置決めユニット（２５）として設けられ、また、該トーションばね（２６）は枢設ピン（２４）上に取付けられると共に、その両端はそれぞれ第１半環部（１０）及び第２半環部（２０）上に掛着される。以上の説明からも分かるように、該第１半環部（１０）及び第２半環部（２０）はトーションばね（２６）により組み合わされるので、使用者が該トーションばね（２６）の付勢力以上の力を両側へ掛けると、第１半環部（１０）及び第２半環部（２０）が開き、開放状態となる。     
上述したように、本考案の化粧料容器を備えたブレスレットは、斬新な構造を有すると共に、装飾性に優れ、更にブレスレット内に、例えば香水、エッセンスオイル、マニキュア、口紅などの入った化粧料容器を装着できることから、使用者は何時でも該容器内の化粧料を使用することができるので、実用性が向上する。
【図面の簡単な説明】
【０００９】
【図１】本考案に係る化粧料容器を備えたブレスレットの実施例の分解斜視図である。
【図２】本考案に係る化粧料容器を備えたブレスレットの斜視図である。
【図３】本考案に係る化粧料容器を備えたブレスレットの正面断面図である。
【図４】本考案に係る化粧料容器を備えたブレスレットの装飾蓋上に装飾部材を設置した場合の斜視図である。
【図５】本考案に係る化粧料容器を備えたブレスレットの装飾蓋をスライドさせた状態を示す部分正面断面図である。
【図６】本考案に係る化粧料容器を備えたブレスレットの装飾蓋をスライドさせ、化粧料を外部へ噴霧させた状態を示す部分正面断面図である。
【図７】本考案に係る化粧料容器を備えたブレスレットの他の実施例の分解斜視図である。
【符号の説明】
【００１０】
１０        第１半環部
１１        第１枢設部
１２        掛合凸部
１３        端部
１４        ガイド溝
２０        第２半環部
２１        第２枢設部
２２        掛合部材
２３        嵌合溝
２３１      掛止フック
２３２      嵌合凹部
２４        枢設ピン
２５        位置決めユニット
２６        トーションねじ
３０        化粧料容器
３１        容器本体
３１１      開口部
３１２      嵌合凸部
３２        容器ヘッド
３２１      噴霧口
３２２      チューブ
４０        装飾蓋
４１        下蓋
４２        上蓋
４３        装飾部材
４４        ガイドレール
【図１】
0003110805.tif 000003
【図２】
0003110805.tif 000004
【図３】
0003110805.tif 000005
【図４】
0003110805.tif 000006
【図５】
0003110805.tif 000007
【図６】
0003110805.tif 000008
【図７】
0003110805.tif 000009